【手続補正書】
【提出日】平成18年8月31日(2006.8.31)
【手続補正１】
【補正対象書類名】明細書
【補正対象項目名】請求項１３
【補正方法】変更
【補正の内容】
【請求項１３】  車輪パルス（４０１）の持続時間を決定するために、第２の閾値（ＳＷ２）を上回るときに時間測定が開始され、第１の閾値（ＳＷ１）を下回るときに終了し、補助パルス（５０１）の持続時間を決定するために、第１の閾値（ＳＷ１）を上回るときに時間測定が開始され、第１の閾値（ＳＷ１）を下回るときに終了することを特徴とする請求項１２記載の方法。
【手続補正２】
【補正対象書類名】明細書
【補正対象項目名】請求項２８
【補正方法】変更
【補正の内容】
【請求項２８】  パルス認識装置（６０１）が、
特に車輪パルス（４０１）または補助パルス（５０１）が第１の閾値（ＳＷ１）を下回るときに、リセットされて新たに始動させられる、信号の処理の開始以降経過した時間を測定するための第３のカウンタ（６１７）と、
時定数（ｔm ）に応じて第５の持続時間（ｔ5 ）を決定するための第３の決定装置（６０３）と、
第３のカウンタ（６１７）のレベルを第５の持続時間（ｔ5 ）に一致する値と比較する第２の持続時間比較装置（６０４）とを備え、
第３のカウンタ（６１７）が第５の持続時間（ｔ5 ）に一致する値に達したときに、パルス認識装置（６０１）が、第１の閾値（ＳＷ１）を上回りかつ第２の閾値（ＳＷ２）を上回らない他のパルスを、補助パルス（５０１）として認識することを特徴とする請求項２３〜２７のいずれか一つに記載の装置（１０４）。
【手続補正３】
【補正対象書類名】明細書
【補正対象項目名】００１６
【補正方法】変更
【補正の内容】
【００１６】
第１のエッジを有する第１の信号部分が処理される時点または時間ウインドウは時定数に応じてセットされる。更に、第２の信号部分が処理される第２の時点または第２の時間ウインドウは、時定数に応じておよび第１のエッジの時点に依存してセットされる。その際、時間ウインドウは、エッジの認識または一般的には信号処理が許容される時間範囲である。他の時間ウインドウはその都度、前の時間ウインドウ内で認識された信号エッジから出発してセットされる。この場合、開始の時点と時間ウインドウの幅は時定数に依存する。この時間ウインドウ内で他のエッジが認識されると、このエッジは他の時間ウインドウのための新しい出発点として使用可能である。利点は、予想よりも早くまたは遅く生じるエッジが検出可能であることにある。なぜなら、エッジの予想される時点を中心とした時間ウインドウ内で、エッジ検出が可能であるからである。他の利点は、一方のエッジの実際の時点に適合して、新しいエッジ検出時間範囲が決定されることにより、時定数を決定する際に誤差が累積しないことにある。それによって更に、２つの車輪パルスの間で確実に処理可能な最大数のデータが制限されない。
【手続補正４】
【補正対象書類名】明細書
【補正対象項目名】００２９
【補正方法】変更
【補正の内容】
【００２９】
時間ウインドウ設定装置６０７は第２の決定装置６０８を備えている。この第２の決定装置は時間ウインドウ４０３の開閉を決定する第１の持続時間ｔ1 、第３の持続時間ｔ3 および第６の持続時間ｔ6 を検出し、簡単にするためにｔ1,ｔ3 およびｔ6 と呼ぶ対応する値を、第１の時間比較装置６１０に伝送する。第２のカウンタ６０９のレベルは第１の時間比較装置６１０内で値ｔ1,ｔ3 およびｔ6 と比較される。この比較結果に依存して、時間ウインドウ設定装置６０７は時間ウインドウ４０３を開閉する。これについての詳細は後で図７を参照して説明する。時間ウインドウ設定装置６０７の出力部は、エッジ認識装置６１１、エラー認識装置６１２および記憶装置６１３に接続されている。それによって、時間ウインドウ４０３がいつ開放するかを、それぞれの装置に知らせることができる。
【手続補正５】
【補正対象書類名】明細書
【補正対象項目名】００３０
【補正方法】変更
【補正の内容】
【００３０】
パルス認識装置６０１は第３の決定装置６０３を備えている。この第３の決定装置は持続時間ｔ5 と対応する値（以下、簡単にするためにｔ5 と呼ぶ）を決定し、第２の時間比較装置６０４に伝送する。そこで、第３のカウンタ６１７のカウントレベルがｔ5 と比較される。第３のカウンタ６１７は、ｔ5 まで計数したときに、停止されるかまたは計数し続けることができる。第３のカウンタ６１７のカウントレベルがｔ5 以上であると、パルス認識装置６０１は範囲ＩH,D 内のパルスを補助パルス５０１として認識し、そうでない場合データパルス４０５として認識する。第３のカウンタ６１７がｔ5 まで計数したときに、時間ウインドウ設定装置６０７がパルス認識装置６０１から報告を受けるので、時間ウインドウ設定装置６０７は新しい時間ウインドウ４０３を開放しない。
【手続補正６】
【補正対象書類名】明細書
【補正対象項目名】００３５
【補正方法】変更
【補正の内容】
【００３５】
開放した時間ウインドウ４０３ｃ内でエッジが遅く発生するかまたは発生しないと、図７の下側部分に相応して経過する。そこには、１つだけのデータエッジ４０２ａと２つの時間ウインドウ４０３ａ，４０３ｃを有する信号経過と、第２のカウンタ６０９の関連するレベル７０２が示してある。第２のカウンタ６０９は、第１の時間ウインドウ４０３ａ内でデータエッジ４０２ａが再び認識されるときにリセットされ、新たに始動する。時間ウインドウ４０３ａは上述のように閉鎖され、新しい時間ウインドウ４０３ｃが適当なカウントレベルの後で開放する。第２のカウンタ６０９は、第６の持続時間ｔ6 に対応する値に達するまで計数する。それまで、開放した時間ウインドウ４０３ｃ内でエッジが認識されないと、それにもかかわらず、カウンタはリセットされ、新たに始動する。そして、時間ウインドウ４０３ｃが通常のごとく第３の持続時間ｔ3 の後で閉鎖される。第２のカウンタ６０９のリセットの後で、開放した時間ウインドウ４０３ｃ内でエッジがまだ発生すると、第２のカウンタ６０９は再びリセットされ、新たに始動し、時間ウインドウ４０３ｃが他の持続時間ｔ3 の後で閉鎖される。これとは別にエッジが、時間ウインドウ４０３の開放後に第２の持続時間ｔ2 内に認識された場合、この時間ウインドウ４０３が再び閉鎖される。第２の持続時間ｔ2 は持続時間ｔ1 ，ｔ3 ，ｔ6 から次のようにして決定可能である。
ｔ2 ＝ｔ6 −ｔ1 ＋ｔ3 
持続時間ｔ1 ，ｔ3 ，ｔ6 は好ましくは次のように決定される。
ｔ1 ＝ｔm ／２＋Ｄｔ
ｔ3 ＝ｔm ／４
ｔ6 ＝ｔm 
その際、正の第４の時間Ｄｔは、例えば車輪パルス４０１または補助パルス５０１の立下がりエッジおよびまたはデータエッジ４０２（立ち上がりまたは立下がり）およびまたは時定数ｔm の時間に依存して決定される。最適な場合、ｔm が符号化クロックに等しいと、特にＤｔ＝ｔm ／４が当てはまる。
【手続補正７】
【補正対象書類名】明細書
【補正対象項目名】００３７
【補正方法】変更
【補正の内容】
【００３７】
同じことが図８ｂに示したケースについても当てはまる。図８ｂでは、時間ウインドウ４０３ｅ内でエッジが１つだけ認識されるがしかし、このエッジは車輪パルス４０１の立ち上がりエッジである。このエッジは、車輪パルス４０１が時間ウインドウ４０３の開放中に閾値ＳＷ２を上回ることによって認識される。従って、第３の時間間隔ｔ3 は好ましくは車輪パルスが必要とする時間よりも長い。それによって、第１の閾値ＳＷ１を上回った後で、第２の閾値ＳＷ２を上回ることができる。そして、エラー認識装置６１２はエラーを認識し、それに基づいて妥当性ビットがセットされる。データ伝送においてパリティビットが（例えば最後のデータビットとして）送信されるときには、パリティビットのエラー認識時に、対応する妥当性ビットがセットされるだけでなく、すべての妥当性ビットがセットされる。車輪パルス４０１は更に、第１の決定装置６０５によって測定される。それに基づいて、連続サイクルのための新たなデータ処理が開始可能である。